(57)【要約】【課題】電気機器の給電設備が屋外等不特定多数の人が出入り可能な場所に設置される場合に、盗電や悪戯を防止することができる給電装置内蔵キャビネットを提供する。【解決手段】給電装置を内蔵したキャビネット２の内側に、電気機器の受電側コネクタ１４と接続して給電を行う給電側コネクタ８を備え、キャビネット扉４の外壁には、扉施錠手段６を備え、扉施錠手段の施錠状態を給電可能信号として、電気機器への給電を制御する給電制御手段を備える給電装置内蔵キャビネット。望ましくは、前記の扉施錠状態を給電可能信号とする給電制御手段に加え、キャビネット扉の閉状態を給電可能信号とする第２の給電制御手段７および受電側コネクタ差込時を給電可能信号とする第３の給電制御手段１０を併存させる。【選択図】図２
2010088280.tif 000002
【特許請求の範囲】
【請求項１】
キャビネットの内側に、電気機器の受電側コネクタと接続して給電を行う給電側コネクタを備え、
キャビネット扉の外壁に、扉施錠手段を備え、
扉施錠手段の施錠状態を給電可能信号として、電気機器への給電を制御する給電制御手段を備えることを特徴とする給電装置内蔵キャビネット。
【請求項２】
キャビネット扉の開閉状態を検出し、キャビネット扉の閉状態を給電可能信号として、電気機器への給電を制御する第２の給電制御手段を備えることを特徴とする請求項１記載の給電装置内蔵キャビネット。
【請求項３】
キャビネット内部に内蔵された給電側コネクタへの受電側コネクタ差込状態を検出し、受電側コネクタ差込状態を給電可能信号として、電気機器への給電を制御する第３の給電制御手段を備えることを特徴とする請求項２記載の給電装置内蔵キャビネット。
【請求項４】
給電側コネクタへの受電側コネクタ差込状態検出手段は、受電側コネクタの差込時に開状態となる給電側コネクタカバーの開閉状態を検出するものであることを特徴とする請求項３記載の給電装置内蔵キャビネット。
【請求項５】
深夜電力充電選択手段を備えることを特徴とする請求項１の給電装置内蔵キャビネット。
【発明の詳細な説明】
【技術分野】
【０００１】
本発明は給電装置内蔵キャビネットに関するものである。
【背景技術】
【０００２】
給電装置内蔵キャビネットに関し、例えば特許文献１に記載のように、小型で取扱い易くする技術は開示されているが、従来の給電器はいずれも、コンセントにプラグを差しこむことにより給電を開始したり、または、コンセントにプラグを差し込んだ後に給電器側または電気機器側に設けられた給電開始スイッチを押すことにより給電を開始したりするものであった。従って、給電設備が屋外等、不特定多数の人が出入り可能な場所に設置される場合には、盗電や悪戯の問題があった。
【特許文献１】実登３０７４２０８号公報
【発明の開示】
【発明が解決しようとする課題】
【０００３】
本発明の目的は、電気機器の給電器に関する前記問題を解決し、電気機器の給電設備が屋外等不特定多数の人が出入り可能な場所に設置される場合に、盗電や悪戯を防止することができる給電装置内蔵キャビネットを提供することである。
【課題を解決するための手段】
【０００４】
本発明に係る給電装置内蔵キャビネットは、キャビネットの内側に、電気機器の受電側コネクタと接続して給電を行う給電側コネクタを備え、キャビネット扉の外壁に、扉施錠手段を備え、扉施錠手段の施錠状態を給電可能信号として、電気機器への給電を制御する給電制御手段を備えることを特徴とするものである。
【０００５】
請求項２記載の発明は、請求項１記載の給電装置内蔵キャビネットにおいて、キャビネット扉の開閉状態を検出し、キャビネット扉の閉状態を給電可能信号として、電気機器への給電を制御する第２の給電制御手段を備えることを特徴とするものである。
【０００６】
請求項３記載の発明は、請求項２記載の給電装置内蔵キャビネットにおいて、キャビネット内部に内蔵された給電側コネクタへの受電側コネクタ差込状態を検出し、受電側コネクタ差込状態を給電可能信号として、電気機器への給電を制御する第３の給電制御手段を備えることを特徴とするものである。
【０００７】
請求項４記載の発明は、請求項３記載の給電装置内蔵キャビネットにおいて、給電側コネクタへの受電側コネクタ差込状態検出手段は、受電側コネクタの差込時に開状態となる給電側コネクタカバーの開閉状態を検出するものであることを特徴とするものである。
【０００８】
請求項５記載の発明は、請求項１の給電装置内蔵キャビネットにおいて、深夜電力充電選択手段を備えることを特徴とするものである。
【発明の効果】
【０００９】
本発明に係る給電装置内蔵キャビネットは、キャビネットの内側に電気機器の受電側コネクタと接続して給電を行う給電側コネクタを備え、キャビネット扉の外壁に扉施錠手段を備え、扉施錠手段の施錠状態を給電可能信号として電気機器への給電を制御する手段を備えることにより、給電側コネクタに電気機器の受電側コネクタが接続され、更に、扉が施錠状態になって初めて給電が行われる構成となっている。すなわち、給電のためにはコネクタの接続後に扉の施錠を行う必要があり、鍵を有する施錠者のみが給電を行えることとなり、盗電を防止することができる。
【００１０】
また、前記構成を有する本発明によれば、コネクタの脱着作業時以外は、基本的にキャビネット扉を施錠状態とすることができ、悪戯を防止することができる。
【００１１】
請求項３記載の発明によれば、前記の扉施錠状態を給電可能信号とする給電制御手段に加え、キャビネット扉の閉状態を給電可能信号とする第２の給電制御手段および受電側コネクタ差込時を給電可能信号とする第３の給電制御手段を併存させ、例えば、コネクタが接続されていない場合には、扉が施錠されても給電を行わない等、確実かつ安全な給電制御を行うことができる。
【００１２】
請求項５記載の発明によれば、深夜電力充電選択手段を備えることにより、コネクタ接続後直ちに給電を開始することもできるし、深夜電力を利用した夜間給電を選択的に行うこともできる。
【発明を実施するための最良の形態】
【００１３】
図１には、本発明に係る給電装置内蔵キャビネットの全体外観図を示している。図２には、本発明に係る給電装置内蔵キャビネットのキャビネット扉を開いた状態の全体図を示している。図１に示すように、本発明に係る給電装置内蔵キャビネット１は、上部キャビネット２と下部キャビネット３からなる。
【００１４】
（上部キャビネットの構成）
上部キャビネット２の扉４にはシリンダー錠が備えられ、当該シリンダー錠はシリンダー錠カバー５で覆われている。鍵の所有者が、鍵をシリンダー錠に差し込み、シリンダー錠を操作して上部キャビネット扉４を施錠または開錠することができる。当該シリンダー錠は、図３に示す給電装置内の電力供給回路の開閉を行うスイッチを内蔵したスイッチ内蔵シリンダー錠６である。ただし、当該上部キャビネット２の施錠手段はシリンダー錠タイプに限定されるものではなく、例えば、非接触型のカードキータイプを採用しても良い。
【００１５】
上部キャビネット２の内部には、上部キャビネット扉４の開閉を検出するリミットスイッチ７が備えられている。当該リミットスイッチ７は、図３に示す給電装置内の電力供給回路の開閉を行うスイッチを構成するものであり、上部キャビネット扉４が閉状態の時に電力供給回路を接続状態とする。したがって、上部キャビネット扉４を開状態としたまま、前記のスイッチ内蔵シリンダー錠６を施錠操作した場合には、電力供給は開始されない。このような構成により、高い安全性を確保している。
【００１６】
また、上部キャビネット２の内部には、給電側コネクタとなるコンセント８が備えられている。当該コンセント８は、プラグが差し込まれていない状態ではコンセントカバー９によって覆われている。当該コンセントカバー９は、上部に蝶番を備え、下部のカバー裏側にコンセントカバー９の開閉を検出するリミットスイッチ１０が備えられている。当該リミットスイッチ１０は、図３に示す給電装置内の電力供給回路の開閉を行うスイッチを構成するものであり、プラグの差し込みによりコンセントカバー９が開状態となった時に電力供給回路を接続状態とする。したがって、プラグが差し込まれない状態では、給電側コネクタとなるコンセント８への通電は行われない。このような構成により、高い安全性を確保している。
【００１７】
図３に示すように、本発明の給電装置内蔵キャビネットの給電回路は、コンセント８へのプラグ接続によりリミットスイッチ１０が回路接続状態となり、キャビネット扉４が閉じられることによりリミットスイッチ７も回路接続状態となり、更に、シリンダー錠６の施錠操作によりシリンダー錠に内蔵されたスイッチも回路接続状態となって初めて、給電側から受電側への電力供給が可能となる構成を有している。
【００１８】
更に、上部キャビネット２の扉４には、図１に示すように、前記の電力供給回路内の給電状態を示すランプ１１や、深夜電力充電選択手段１２が設けられている。深夜電力充電選択手段１２は、充電開始時間を制御するタイマー回路（図示しない）と、タイマー回路切替スイッチとからなっている。タイマー回路切替スイッチの操作により、通常充電と深夜電力充電とを自在に選択することができる。通常充電を選択した場合、コンセント８へのプラグ接続後、直ちに受電側への電力供給が開始される。一方、深夜電力充電を選択した場合、コンセント８へのプラグ接続後、一定時間経過後の深夜電力料金適用時間内に受電側への電力供給が開始される。ここで電力供給開始時間は、前記のタイマー回路により調節することができる。本実施形態では、タイマー回路切替スイッチを上部キャビネット扉４に設けたが、深夜電力充電選択手段１２は鎖錠装置と一体となったものでもよく、その場合、鎖錠装置は、開・閉１（通常充電）・閉２（深夜電力充電）の３つの状態を操作できるようにしたものとすることが好ましい。また、深夜電力充電選択手段１２の他の実施形態として、通常充電用コンセントと、深夜電力供給用コンセントとを別々に設け、深夜電力供給用コンセントへの電力供給回路にタイマー回路を設けることも可能である。
【００１９】
なお、図４に示すように、上部キャビネット２の下端部にはパッキン１３が設けられている。本発明にかかるキャビネト１は、図４に示すように充電側のプラグ１４をコンセント８に接続した後、図５に示すように上部キャビネット扉４を閉じて、更にスイッチ内蔵シリンダー錠６に鍵１５を挿入した上で、施錠操作を行って給電可能とするものである。当該キャビネット１下端部にパッキン１３を備え、当該パッキンによりプラグコード１６を押えることにより、上部キャビネット２内部に防水機能を備えることができ、安全性の向上が図られる。
【００２０】
（下部キャビネットの構成）
下部キャビネット３は、通常、キャビネット管理者が所有する鍵により施錠されている。下部キャビネット３内で電力線は、図２に示すダウントランス１７に接続され、１００Ｖ、２００Ｖの２種類の電圧を取り出せる構成を有している。このように、２種類の電圧を取り出し可能な構成とすることにより、通常の充電速度と、短時間での充電を目的としたスピード充電とを、適宜選択可能としている。
【００２１】
また、下部キャビネット３には、図３に示す給電装置内の電力供給回路の開閉制御を行うブレーカ１８やマグネットコンダクタ１９が収納されている。更に、下部キャビネット３の外側壁には、給電時間を示すアワーメーター２０及び、給電回数を示すカウントメータ２１が設けられており、外部から給電状況を確認可能としている。これらの給電情報に基づく課金システム手段を備えることも可能である。課金システム手段は下部キャビネット３内に内蔵しても良いし、通信制御手段により離れた場所に設置した課金システム手段に給電情報を送信するようにしても良い。なお、前記の上部キャビネット施錠手段として、非接触型のカードキータイプを採用した場合には、施錠と同時に課金を行うことができる。
【００２２】
なお、本発明に係る給電装置内蔵キャビネットは、電気自動車の設置型充電スタンド等、電気産業機械への給電装置として、広く一般に使用可能である。
【図面の簡単な説明】
【００２３】
【図１】本発明に係る給電装置内蔵キャビネットの全体外観図である。
【図２】図１のキャビネット扉を開いた状態図である。
【図３】給電装置内の電力供給回路である。
【図４】上部キャビネットの使用状態図である。
【図５】上部キャビネットの使用状態図である。
【符号の説明】
【００２４】
１  給電装置内蔵キャビネット
２  上部キャビネット
３  下部キャビネット
４  上部キャビネット扉
５  シリンダー錠カバー
６  スイッチ内蔵シリンダー錠
７  リミットスイッチ
８  コンセント
９  コンセントカバー
１０  リミットスイッチ
１１  ランプ
１２  深夜電力充電選択手段
１３  パッキン
１４  充電側のプラグ
１５  鍵
１６  プラグコード
１７  ダウントランス
１８  ブレーカ
１９  マグネットコンダクタ
２０  アワーメーター
２１  カウントメータ
【図１】
2010088280.tif 000003
【図２】
2010088280.tif 000004
【図３】
2010088280.tif 000005
【図４】
2010088280.tif 000006
【図５】
2010088280.tif 000007